(57)【要約】【課題】容器内部に収納した各種果菜類を適度に押さえることができ、収納物を安定性よく保持できる発泡樹脂製容器を提供する。【解決手段】容器本体１０と蓋体３０とからなり、果菜類を収納して蓋体を被着した状態で容器本体の一側壁が底になるように横向きに立てた状態にして物流に供する容器において、蓋体３０の内面に凸面部３７が形成され、凸面部３７に凹部３９が形成され、凹部３９に一部が弾力的に嵌合可能で、かつ凸面部３７より内方に突出する発泡樹脂製の押さえ部材４０を有し、果菜類を収納して蓋体３０を被着したとき、凹部３９に嵌合した押さえ部材４０により果菜類を押さえるようにする。【選択図】図１２
0003193795.tif 000002
【実用新案登録請求の範囲】
【請求項１】
上方に開口する平面矩形の発泡樹脂製の容器本体と、容器本体に被着自在な発泡樹脂製の蓋体とからなり、果菜類を収納して蓋体を被着した状態で、容器本体の一側壁が底になるように横向きに立てた状態にして物流に供する容器であって、
蓋体の内面に果菜類の形態に応じた凸面部が形成され、該凸面部に凹部が形成されており、該凹部に対して一部が弾力的に嵌合可能であり、かつ嵌合状態において該凸面部より内方に突出する発泡樹脂製の押さえ部材を有し、容器本体内に果菜類を収納して蓋体を被着したとき、凹部に嵌合した押さえ部材により果菜類を押さえるように構成されてなることを特徴とする発泡樹脂製容器。
【請求項２】
容器本体の底部内面に、前記一側壁と対向する側壁との間に所要の間隔をあけて、収納される果菜類の形態に応じた凸面部が設けられ、蓋体の前記凸面部が前記容器本体の凸面部と相対向して設けられてなる請求項1に記載の発泡樹脂製容器。
【請求項３】
前記凹部が横向きに立てた状態の容器幅方向に延びる溝状をなし、前記押さえ部材が前記溝状の凹部に一側端部が弾力的に嵌合できる厚みの板状をなしている請求項１又は２に記載の発泡樹脂製容器。
【請求項４】
前記凹部が開口側ほど拡がったテーパ状をなし、凹部に対する前記押さえ部材の嵌合位置をテーパ状面と発泡樹脂の弾性変形により調整可能である請求項１〜３のいずれか1項に記載の発泡樹脂製容器。
【請求項５】
前記凹部の内側面の所要の個所に、嵌合される押さえ部材に対し弾力的に圧接する突部が設けられ、嵌合される押さえ部材が任意の嵌合位置に保持できる請求項１〜３のいずれか1項に記載の発泡樹脂製容器。
【請求項６】
容器本体の前記一側壁と対向する側壁の内面が、開口側から内奥側に向かって内方に傾斜した傾斜面をなし、前記横向きに立てた状態において該側壁内面に生じる結露水を容器本体の内奥側に伝い流せるように形成されてなる請求項１〜５のいずれか1項に記載の発泡樹脂製容器。
【請求項７】
前記容器本体の底部内面の凸面部及び蓋体内面の凸面部は、横向きに立てた状態の上端側面が幅方向中央部に向かって傾斜するとともに、該凸面部の幅方向中央部に底部内面および蓋体の内面を伝い流れる結露水を前記一側壁の側に導く凹溝が形成されてなる請求項２に記載の発泡樹脂製容器。
【請求項８】
蓋体の凸面部に形成された押さえ部材を嵌合する溝状の凹部が、前記結露水を導く凹溝より浅く形成されてなる請求項６に記載の発泡樹脂製容器。
【考案の詳細な説明】
【技術分野】
【０００１】
本考案は、主としてアスパラガス等の各種果菜類の輸送、保管、特には保冷状態での輸送のための保冷容器として好適に使用される発泡樹脂製容器に関するものである。
【背景技術】
【０００２】
従来より、アスパラガス等の果菜類の保管及び輸送に際しては、断熱性のある発泡樹脂製の容器本体と蓋体とからなる容器が使用され、通常、前記果菜類は形状維持等の理由から上下方向を揃えて立てた状態で収容されていた。例えば、アスパラガスは、容器への収納後の輸送中においても僅かに成長することから、穂先の側を上にして立てた状態を保持するようにして取り扱われる。
【０００３】
果菜類を立てた状態で容器内に順次収納するのは、収納作業に手数が掛かり、かつ果菜類同士が擦れたりして傷みが生じる等の問題がある。そのため、アスパラガス等の果菜類を、一旦横方向で揃えて容器本体内に寝かせて収納し蓋体を被着した後、該果菜類の基部側の容器本体の一側壁が底になるように横向きにして立てた状態で、保管や輸送等の物流に供するようにした容器が提案されている（特許文献１〜３）。
【０００４】
ところで、アスパラガス等の果菜類を収納して横向きに立てたときに、収納されている果菜類が不安定になり、輸送中の揺動等のために茎が折れたり、アスパラガスの穂先などの先端部を傷めるおそれがある。特に、茎部下端側ほど太くなっているアスパラガスを収納した場合、出荷、輸送の際に容器を横向きに立てると、アスパラガス等の穂先側の近傍に隙間を生じ、不安定になり安定性よく保持できないことになる。従来は、アスパラガス等を収納した後、段ボールのカット品を詰めて空間を埋めるようにしていたが、輸送中の振動によりアスバラガス等に擦れが生じるといった問題がある。
【０００５】
そのため、特許文献１のように、容器本体の底壁内面と、蓋体の内面とに、収納される果菜類の上部側ほど高くなっている複数の突条を設けるか、あるいは特許文献２のように傾斜した形態の凸部を設けることが行われている。
【０００６】
しかしながら、収納されるアスパラガス等の果菜類は、常に一定の成長度合いであるとは限らず、収納した状態での嵩や隙間の大きさは一定ではない。そのため、前記のように突条や凸部が形成されていても、収納物（果菜類）の保持が不安定になり、輸送中の揺動を抑制できない虞がある。
【０００７】
また、特許文献３には、例えば蓋部材の壁部に、外方からの押し込みにより弾性変型可能な当接部を設け、容器に蓋を被着した状態で前記当接部を押し込んで、収納物を押さえるようにしているが、押しこみ形態は常に一定になるため、押さえが強くなりすぎたり、あるいは収納物の保持の効果が不十分になることがあるばかりか、前記当接部の弾性変形の押し込みにより、該当接部が割れや折損が生じる虞があり、耐久性にも問題がある。
【先行技術文献】
【特許文献】
【０００８】
【特許文献１】特開２００２−１０４５４２号公報
【特許文献２】特開２０１１−１４８５４８号公報
【特許文献３】特許第４５５８１０１号公報
【考案の概要】
【考案が解決しようとする課題】
【０００９】
本考案は、上記に鑑みてなしたものであり、主としてアスパラガス等の果菜類を収納して蓋体を被着した状態で輸送、保管等の物流に供する容器、特には、一側壁が底になるように横向きに立てた状態にして内部の果菜類を立て姿勢に保持して物流に供する容器において、容器内部に収納した各種果菜類を適度に押さえることができ、収納物を安定性よく保持して物流に供することができる発泡樹脂製容器を提供するものである。
【課題を解決するための手段】
【００１０】
上記の課題を解決する本考案の発泡樹脂製容器は、上方に開口する平面矩形の発泡樹脂製の容器本体と、容器本体に被着自在な発泡樹脂製の蓋体とからなり、果菜類を収納して蓋体を被着した状態で、容器本体の一側壁が底になるように横向きに立てた状態にして物流に供する容器であって、蓋体の内面に果菜類の形態に応じた凸面部が形成され、該凸面部に凹部が形成されており、該凹部に対して一部が弾力的に嵌合可能であり、かつ嵌合状態において該凸面部より内方に突出する発泡樹脂製の押さえ部材を有し、容器本体内に果菜類を収納して蓋体を被着したとき、凹部に嵌合した押さえ部材により果菜類を押さえるように構成されてなることを特徴とする。
【００１１】
この発泡樹脂製容器によれば、容器本体内に果菜類を収納して蓋体を被着する際に、蓋体内面側の凸面部に有する凹部に発泡樹脂製の押さえ部材を嵌合し、凸面部より内方へ適度に突出した状態に装着しておくことにより、蓋体被着状態において収納されている果菜類を前記押さえ部材により押さえて保持することができる。しかも、前記押さえ部材は、発泡体特有の弾性変形を利用した嵌合操作により容易に装着でき、弾力的な嵌合位置の調整により押さえ部材の突出の程度も調整できるので、収納した果菜類の量や嵩に応じた突出量にしておくことにより、収納した果菜物を適度に押さえて安定性よく保持できる。
【００１２】
前記の発泡樹脂製容器において、容器本体の底部内面に、前記一側壁と対向する側壁との間に所要の間隔をあけて、収納される果菜類の形態に応じた凸面部が設けられ、蓋体の前記凸面部が前記容器本体の凸面部と相対向して設けられてなるものとすることができる。これにより、前記底部の凸面部と蓋体の凸面部で果菜類の茎部を両側から支えて立て姿勢に保持できるとともに、この状態での前記押さえ部材による押さえ作用により、茎部下部側で太くなっているアスパラガス等の果菜類を立て姿勢に安定性よく保持できる。
【００１３】
前記の発泡樹脂製容器において、前記凹部が横向きに立てた状態の容器幅方向に延びる溝状をなし、前記押さえ部材が前記溝状の凹部に一側端部が弾力的に嵌合できる厚みの板状をなしているものが好ましい。これにより、押さえ部材としては発泡樹脂の単純なカット品を使用でき、容易にコスト安価に製作できる。
【００１４】
前記の発泡樹脂製容器において、前記凹部が開口側ほど拡がったテーパ状をなし、凹部に対する前記押さえ部材の嵌合位置をテーパ状面と発泡樹脂の弾性変形により調整可能であるものとすることができる。また、前記凹部の内側面の所要の個所に、嵌合される押さえ部材に対し弾力的に圧接する突部が設けられ、嵌合される押さえ部材を任意の嵌合位置に保持できるものとすることもできる。これにより、収納した果菜類の量や嵩に応じて蓋体被着前に押さえ部材の突出量を容易に調整することができる。
【００１５】
前記の発泡樹脂製容器において、容器本体の前記一側壁と対向する側壁の内面が、開口側から内奥側に向かって内方に傾斜した傾斜面をなし、前記横向きに立てた状態において該側壁内面に生じる結露水を容器本体の内奥側に伝い流せるように形成されてなるものとすることができる。これにより、収納したアスパラガス等の果菜類を立て姿勢に保持するように、容器を横向きに立てた状態にしての輸送や保管等の物流作業において、立て姿勢に保持されている果菜類の穂先側の天井部、すなわち容器本体の側壁内面に結露が生じても、この結露水は該側壁内面の傾斜面により周辺部に伝い流れるため、アスパラガス等の果菜類の穂先部分に結露による水滴が落下することがない。
【００１６】
前記の発泡樹脂製容器において、前記容器本体の底部内面の凸面部及び蓋体内面の凸面部は、横向きに立てた状態の上端側面が幅方向中央部に向かって傾斜するとともに、該凸面部の幅方向中央部に底部内面および蓋体の内面を伝い流れる結露水を前記一側壁の側に導く凹溝が形成されてなるものとすることができる。この場合、蓋体の凸面部に形成された押さえ部材を嵌合する溝状の凹部が、前記結露水を導く凹溝より浅く形成されてなるものが好ましい。すなわち、前記凹部に押さえ部材を嵌合し装着した状態においても、前記凹溝の底部に結露水が流れる空隙を保有できることになる。
【考案の効果】
【００１７】
上記したように本考案の発泡樹脂容器は、例えばアスパラガス等の果菜類を収納して蓋体を被着した後、一側壁が底になるように横向きに立てた状態にして内部の果菜類を立て姿勢に保持して輸送、保管等の物流に供する容器において、容器内部に収納した各種果菜類等の収納物を、蓋体の凸面部に装着した押さえ部材により押さえることにより、収納物の種類や収納状態に適した状態で押さえることができ、収納物を安定性よく保持して物流に供することができ、果菜類の保護を良好になすことができる。しかも、前記押さえ部材は、蓋体被着操作の際に蓋体の内面の凸面部に有する凹部に嵌合し装着するだけでよく、装着操作が容易であり、また、発泡樹脂の板状のカット品を利用できることもあって、コスト安価に製作でき、容易に実施できる。さらに、横向きに立てた状態での天井面となる側壁内面を傾斜面にし、結露の水を周辺部に伝い流し、さらには底になる一側壁の側に導くことができるようにした場合は、収納された果菜類の水滴落下による果菜類の傷みを防ぐこともできる。
【図面の簡単な説明】
【００１８】
【図１】本考案の発泡樹脂製容器の１実施例を示す容器本体と蓋体の斜視図である。
【図２】裏返した蓋体の押さえ部材装着前の斜視図である。
【図３】容器本体と蓋体の正面図である。
【図４】容器本体と蓋体の側面図である。
【図５】容器本体と蓋体の断面図である。
【図６】前図Ｌ１−Ｌ１線の断面図である。
【図７】容器本体の平面図（ａ）と底面図（ｂ）である。
【図８】蓋体の平面図（ａ）と底面図（ｂ）である。
【図９】容器本体に蓋体を被着した状態の断面図である。
【図１０】一部の拡大断面図である。
【図１１】他の実施例を示す一部の拡大斜視図である。
【図１２】果菜類を収納して横向きに立てた状態の断面図である。
【考案を実施するための形態】
【００１９】
次に本考案の実施の形態を図面に示す実施例に基づいて説明する。
【００２０】
この実施例の発泡樹脂製容器Ａ（単に容器Ａともいう）は、主に保冷容器等として使用する発泡樹脂を素材として型成形された容器であって、図に示すように、基本的に上方に開口する平面正方形や長方形等の平面矩形の容器本体１０と、該容器本体１０の開口端部１０ａに対し嵌合被着される蓋体３０とよりなる。
【００２１】
この発泡樹脂製容器Ａは、前記容器本体１０の開口を上方に向けた状態で、内部に果菜類Ｂとして例えばアスパラガスを揃えて収納し、蓋体３０を被着した後、前記果菜類Ｂの茎部下端側に対向する前記容器本体１０の一側壁１２ａが底になるように横向きに立てた状態にし、収納したアスパラガス等の果菜類Ｂを立て姿勢に保持して、保管や輸送等の物流に供することができるように構成されている。
【００２２】
前記容器本体１０は、底部１１と四方の側壁、例えば短辺側の相対向する側壁１２ａ，１２ｂと長辺側の相対向する側壁１３ａ，１３ｂとからなり、果菜類Ｂを容器長手方向に揃えて収納するように形成されている。前記容器本体１０の側壁１２ａ，１２ｂの外面の少なくとも一部は、抜き勾配のないフラット面をなしており、容器Ａを横向きに立てた状態で段積みできるようになっている。また、収納した果菜類Ｂの茎部下端側に対向する短辺側の前記一側壁１２ａの内面には、少なくとも容器深さ方向、好ましくは図のように容器深さ方向と横方向の溝１４により画された複数の凸起１５が形成されており、容器Ａを立てた状態において果菜類Ｂの茎部下端が凸起１５に当接するようになっている。
【００２３】
図示する実施例の容器本体１０の場合、前記一側壁１２ａと対向する側壁１２ｂ、すなわち収納した果菜類Ｂの穂先側が対向する側壁１２ｂの内面１２ｂ’は、該側壁内面１２ｂ’の部分に生じる結露水を内奧側に伝い流せるように、容器本体１０の開口側から内奥側に向かって内方に傾斜した傾斜面をなしている。符号１６は、前記側壁内面１２ｂ’の傾斜方向に沿う溝であり、内奧側面（底部内面）にまで連続して形成されている。
【００２４】
また、前記容器本体１０の開口側よりみて内奥側の底部１１の内面には、前記側壁１２ｂの内面１２ｂ’との間に少なくとも果菜類Ｂの穂先部分を収納できる所要の間隔をあけて、収納される果菜類Ｂの形態に応じて主として茎部の受け支えるための凸面部１７が設けられている。この凸面部１７としては、収納される果菜類Ｂその他の収納物の種類に応じた任意の形状にして実施できる。例えば、図の場合は、果菜類Ｂが茎部下端側ほど太くなっているアスパラガス等の収納に適するように、果菜類Ｂの茎部の下部を受ける側ほど低く、つまり前記一側壁１２ａの側ほど低く傾斜した凸面部１７とされており、容器Ａを横向きに立てた状態においてアスパラガス等の果菜類Ｂを程好い立て姿勢に保持できるようになっている。
【００２５】
前記凸面部１７は、前記側壁内面１２ｂ’と対向する側の端面１７ａが底部１１から凸面部１７の前面に曲面で連続するとともに、容器幅方向中央部に向かって傾斜している。さらに、前記凸面部１７には、前記端面１７ａの容器幅方向中央部から前記一側壁１２ａにまで連続する凹溝１８が形成されており、前記側壁１２ｂから伝い流れる結露水を凸面部１７の端面１７ａの部分から前記凹溝１８を通して側壁１２ａの側に導くように形成されている。前記の凹溝１８は、凸面部１７の幅方向に間隔を開けて複数形成しておくこともできる。
【００２６】
また、前記容器本体１０の長辺側の側壁１３ａ，１３ｂの内面における幅方向中央部の領域が上下方向の凹条１９と凸条２０とによる波形凹凸状をなしており、上下方向の凸条２０が、段積み荷重等の上方からの荷重や側壁１３ａ，１３ｂの内外方向への曲げ荷重に対して、補強リブ的な作用を果たすようになっている。
【００２７】
前記蓋体３０には、前記容器本体１０の開口端部１０ａに嵌合する周縁部３０ａを除く内方部３１に、前記容器本体１０の底部１１の凸面部１７と対向して、収納した果菜類Ｂの茎部の押さえあるいは支えとなるように凸面部３７が突出形成されている。この凸面部３７の形態についても、収納される果菜類Ｂの種類に応じた形態にできるが、基本的には、前記容器本体１０の凸面部１７と対応した形状で同様の突出形態をなしており、容器本体１０に対する蓋体３０の被着状態において側壁１２ｂの内面１２ｂ’との間に間隔をおいて前記凸面部１７と対称の配置にあり、かつ果菜類Ｂの茎部の下部を受ける前記一側壁１２ａの側ほど低く傾斜した形状の凸面部とされている。さらに前記凸面部３７の端面３７ａが幅方向中央部に向かって傾斜するとともに、幅方向中央部には前記凹溝１８に対応する凹溝３８も同様に形成され、結露水を凹溝３８を通じて側壁１２ａの側に流せるようになっている。なお、容器本体１０の凸面部１７については、これを省略して実施する場合もある。
【００２８】
前記蓋体３０の凸面部３７には、横向きに立てた状態の高さ方向の中間部領域、好ましくはやや端面３７ａ側の位置に、容器幅方向に延びる溝状をなす凹部３９が設けられ、該凹部３９に対し別体の発泡樹脂製の押さえ部材４０が嵌合装着自在に設けられている。前記のように凸面部３７に結露水を流す凹溝３８が形成されている場合は、図のように該凹溝３８を挟んで両側に溝状の凹部３９が設けられる。前記押さえ部材４０は、前記両側の凹部３９に対し一部が嵌合可能でかつ嵌合状態において前記凸面部３７より容器内方に突出状態となる形態、例えば図のように比較的単純な形状の板状をなしており、容器本体１０内に果菜類Ｂを収納して蓋体３０を被着したとき、前記凹部３９に嵌合した前記押さえ部材４０により果菜類Ｂを押さえるように構成されている。前記凹溝３８を有する場合、前記凹部３９を凹溝３８より浅くしておくことにより、押さえ部材４０を凹部３９の底部位置まで嵌合した状態においても、前記凹溝３８の底部側に結露水を導く空隙を保有できる。
【００２９】
前記凹部３９は、図１０に拡大して示すように、開口側ほど拡がったテーパ状をなすものとし、前記凹部３９に対する前記押さえ部材４０の嵌合位置をテーパ面と発泡樹脂の弾性変形により調整可能にしておくのが、収納した果菜類Ｂの量や嵩に応じて蓋体被操作の前に押さえ部材４０の突出量を容易に調整することができ好ましい。また、図１１に拡大して示すように、前記凹部３９の内側面の所要の個所に、嵌合される押さえ部材４０に対し弾力的に強く圧接する突部４１を設けておき、押さえ部材４０を任意の嵌合位置に保持できるようにすることもできる。前記の突部４１の配置及び形状は、嵌合される押さえ部材４０の保持状態を考慮して適宜決定でき、例えば、図１１のように対向両側面に互い違いの位置に配置する等、種々の実施が可能である。
【００３０】
なお、押さえ部材４０としては、前記凹部３９の形状や押さえ対象の果菜類Ｂの種類に応じて種々の形態での実施が可能であるが、実施上は図のような単純な形状でよく、例えば発泡樹脂の板状のカット品を用いることができ、容易に実施できる。また、前記凹部３９は、図のような溝状をなすものに限らず、凸面部３７における容器幅方向中央部の凹溝３８を挟んで両側部分にそれぞれ独立した凹部を設け（図示せず）、該凹部に前記押さえ部材４０の一部を嵌合し装着するようにして実施することもできる。
【００３１】
前記容器本体１０と蓋体３０との嵌合構造としては、例えば、容器本体１０の開口端部１０ａと、これに対応する蓋体３０の周縁部３０ａの下面とに、全周にわたって連続する凸縁と切欠段部とによる相欠き形状の嵌合部を設けておく等、横向きに立てた状態においても被着状態が容易に外れないような種々の嵌合構造による実施が可能であるが、図示する実施例の場合は、次のような構成をなしている。
【００３２】
前記容器本体１０の各コーナー部の上面には平面Ｌ形の嵌合凸部２２が形成され、蓋体３０の各コーナー部の下面には前記嵌合凸部２２に嵌合する嵌合凹部３２が設けられている。前記嵌合凸部２２の側面と前記嵌合凹部３２の内側面には、逆テーパ等によるアンダーカットの形状で弾力的に嵌合できかつ嵌合状態において抜脱方向に係合する係合凸部２２ａ，３２ａが設けられており、これにより、嵌合状態で容器Ａを横向に立てたときにも妄りに蓋体３０が外れないようになっている。
【００３３】
また、前記容器本体１０の開口端部１０ａの各辺部の中央部に切り欠き部２３が形成されるとともに、これに対応する蓋体３０の周縁部３０ａの各辺部の下面中央部に前記切り欠き部２３に嵌合する垂下片３３が設けられている。さらに前記各切り欠き部２３の端縁部分と前記垂下片３３の端縁部分とが、相欠き形状の凸縁２４、３４と段部２５，３５とにより嵌合可能に設けられている。図の場合は、前記切り欠き部２３の端縁部分の外側に凸縁２４、内側に段部２５、垂下片３３の端縁部分の外側に段部３５、内側に凸縁３４を有する相欠き形状をなしている。これにより、果菜類Ｂを収納した容器本体１０を積み重ねて予冷する際には、各容器本体１０をずらせたりせずに切り欠き部２３から冷気を取り込むことができ、かつ、蓋体３０を被着した状態においては、両者の前記凸縁２４，３４と前記段部３５，２５とが相互に嵌合することで、密封状態を良好に保持できるようになっている。なお、凸縁２４、３４と段部２５，３５との嵌合面に、逆テーパ等のアンダーカットの形状による係合手段を設けておくことができる。
【００３４】
本考案の場合、少なくとも一辺部の前記切り欠き部２３と垂下片３３との嵌合部外側、好ましくは縦横の少なくとも一方の相対向する両辺部（図の場合四方の各辺部）の前記切り欠き部２３と垂下片３３との嵌合部外側には、容器幅方向センター位置から一方のコーナー部寄りの位置、特に相対向両辺部で線対称の位置に、開蓋操作時の指掛用凹部４２が設けられている。これにより、開蓋操作の際に一つのコーナー部の嵌合凸部２２と嵌合凹部３２とによる嵌合構造に近い個所で蓋体３０を持ち上げて、嵌合を離脱させることができるようになっている。
【００３５】
前記指掛用凹部４２は、前記切り欠き部２３と垂下片３３とが、図のように垂下片３３の端縁部分の外側に段部３５、内側に凸縁３４を有する相欠き形状をなしている場合、該垂下片３３の段部３５の外側に切欠形成した前記指掛用凹部４２を設けるのが、垂下片３３として十分な厚みを有する個所を切欠することになり、切欠による端縁部分の弱体化を抑制でき好ましい。
【００３６】
なお、蓋体３０の垂下片３３に指掛用凹部４２を設ける場合、容器本体１０の切り欠き部２３の端縁部分には、指掛用の凹部を形成する必要はないが、図のように、少なくとも一辺部、好ましくは縦横の少なくとも一方の相対向する両辺部（図の場合四方の各辺部）の前記切り欠き部２３の凸縁２４における前記指掛用凹部４２との対応位置、すなわち容器幅方向センターから一方のコーナー部寄りの位置に、位置合わせのための凹部２６を設けておくのがよい。この場合も、前記凹部２６は相対向両辺部では線対称の位置に設けられる。これにより、例えば、横向きに立てた状態で物流に供される容器のために方向性を有した構造の蓋体３０を容器本体１０に被着する際、前記指掛用凹部４２を前記凹部２６の位置に合わせることで、蓋体３０の方向を合わせることができる。
【００３７】
図の場合、前記容器本体１０の側壁１２ｂに対応する辺部の側の前記垂下片３３は、横向に立てた状態において該垂下片３３の内面に生じる結露水を蓋体３０の内方部下面に伝い流せるように、該垂下片３３の内側から蓋体３０の内方部下面に連続する傾斜面とされ、該垂下片３３の内面から内方部下面に連続する溝３６が形成されており、蓋体３０の垂下片３３の内面に生じる結露水や、前記側壁１２ｂから蓋体３０側に伝い流れる結露水を下方に導き易くなっている。
【００３８】
前記容器本体１０及び蓋体３０、並びに押さえ部材４０の構成材である発泡樹脂としては、例えば、スチレン改質ポリオレフィン系樹脂、ポリスチレン、ハイインパクトポリスチレン、スチレン−エチレン共重合体、スチレン−無水マレイン酸共重合体、スチレン−アクリロニトリル共重合体等のポリスチレン系樹脂、あるいはポリエチレン、ポリプロピレン、エチレン−酢酸ビニル共重合体等のポリオレフィン系樹脂、あるいはポリエチレンテレフタレート等のポリエステル系樹脂等の各種の熱可塑性の合成樹脂の発泡体を用いることができる。中でも、スチレン改質ポリオレフィン系樹脂のビーズ発泡による成形体が好適に用いられる。前記発泡体の発泡倍率は１０〜７０倍が好ましい。
【００３９】
上記した本考案の実施例の発泡樹脂製容器Ａによれば、上向きに開口している容器本体１０内に、アスパラガス等の果菜類Ｂを、上下方向を揃えて、例えばアスパラガスの場合は穂先の側を揃えて、茎部下端側を一側壁１２ａの側にして、底部１１に有する凸面部１７上に茎部を置くように寝かせて収納する。この状態で必要に応じて予冷を行って、あるいは予冷しないで、蓋体３０を容器本体１０の開口端部１０ａに嵌合被着する。このとき、前記蓋体３０の内側の凸面部３７に形成された凹部３９に、別体の発泡樹脂製の押さえ部材４０を嵌合装着しておき、蓋体３０を被着することにより、収納されている果菜類Ｂを前記押さえ部材４０により押さえるようにする。特に、前記押さえ部材４０は、発泡体特有の弾性変形を利用して容易に嵌合して装着できるとともに、嵌合位置の調整も容易であり、押さえ部材４０の突出の程度を収納した果菜類Ｂの量や嵩に応じた突出量にしておくことにより、収納した果菜物Ｂを適度に押さえて安定性よく保持できる。
【００４０】
前記の収納後、前記果菜類Ｂの茎部下端側と対向する側壁１２ａが底になるように横向きに立てた状態にして（図１２）、内部の果菜類Ｂを立て姿勢に保持し、出荷、輸送及び保管等の物流に供する。この輸送等の際、内部の果菜類Ｂは押さえ部材４０により押さえられているために、輸送時の振動により収納された果菜類Ｂが揺動したり、保持状態が不安定になったりすることがなく、果菜類の保護を良好になし得る。
【００４１】
また、上記の実施例では、収納物としてアスパラガス等の果菜類Ｂを収納し、果菜類Ｂの茎部下端側と対向する側壁１２ａが底になるように横向きに立てた状態で出荷、輸送する容器の場合を例示したが、他の種々の収納物を収納する容器、横向きに立てないで通常の状態で使用する容器においても、内部の収納物の揺動を規制する必要がある場合に好適に利用できる。
【符号の説明】
【００４２】
Ａ…発泡樹脂製容器、Ｂ…果菜類、１０…容器本体、１０ａ…開口端部、１１…底部、１２ａ，１２ｂ…側壁、１２ｂ’…内面、１３ａ，１３ｂ…側壁、１４…溝、１５…凸起、１６…溝、１７…凸面部、１８…凹溝、１９…凹条、２０…凸条、２２…嵌合凸部、２３…切欠き部、２４…凸縁、２５…段部、２６…凹部、３０…蓋体、３０ａ…周縁部、３１…内方部、３２…嵌合凹部、３３…垂下片、３４…凸縁、３５…段部、３６…溝、３７…凸面部、３８…凹溝、３９…凹部、４０…押さえ部材、４１…突部、４２…指掛用凹部。
【図１】
0003193795.tif 000003
【図２】
0003193795.tif 000004
【図３】
0003193795.tif 000005
【図４】
0003193795.tif 000006
【図５】
0003193795.tif 000007
【図６】
0003193795.tif 000008
【図７】
0003193795.tif 000009
【図８】
0003193795.tif 000010
【図９】
0003193795.tif 000011
【図１０】
0003193795.tif 000012
【図１１】
0003193795.tif 000013
【図１２】
0003193795.tif 000014